(57)【要約】
【課題】骨壷を安定な状態で収納できるカロードを提供する。
【解決手段】前端に開口を有する横穴形の納骨室４の内底面に位置し開口に向けて平行に延びる一対のレール１４と、レール１４に案内される端部支持ローラ１６を左右の側面に枢支した底板５と、納骨室４の開口端寄り個所に枢支されて底板５の下面に接する底部支持ローラ１７と、納骨室４の開口端寄り個所に枢支されて底板５の左右側面にそれぞれ接する側部支持ローラ１８と、底板５に取り付けた上板１９と、納骨室４の開口を閉止し得る開き戸状の蓋体６，７と、蓋体７の動きを底板５に伝達する連結具８とを備え、底板５と上板１９が開口を出入りするときの前傾や蛇行を、ローラ１６，１７，１８によって防止する。
【選択図】図１
0003100553.tif 000002
【実用新案登録請求の範囲】
【請求項１】
　一端に開口を有する横穴形の納骨室と、開口を出入し得る底板と、納骨室の開口を閉止し得る開き戸状の蓋体と、一端部を底板に枢支し且つ他端部を蓋体に枢支した連結具とを備えてなることを特徴とするカロード。
【請求項２】
　一端に開口を有する横穴形の納骨室と、該納骨室の内底面に位置し開口に向けて平行に延びる一対のレールと、該レールのそれぞれに案内される端部支持ローラを枢支した底板と、納骨室の開口端寄り個所に枢支され且つ底板の下面に接する底部支持ローラと、納骨室の開口端寄り個所に枢支され且つ底板の左右側面にそれぞれ接する側部支持ローラと、レールを上方から覆い得るように底板に装着した上板と、納骨室の開口を閉止し得る開き戸状の蓋体と、一端部を底板に枢支し且つ他端部を蓋体に枢支した連結具とを備えてなることを特徴とするカロード。
【請求項３】
　それぞれのレールの側部にその長手方向に延びる溝を形成し、該溝に端部支持ローラを転動可能に嵌め込んだ請求項２に記載のカロード。
【請求項４】
　連動棒の一端部に長孔を穿設し、該長孔に軸を挿通した軸を底板に係止して、連結具の一端部を底板に枢支した請求項１乃至請求項３のいずれかに記載のカロード。
【請求項５】
　連結具を伸縮可能に構成した請求項１乃至請求項３のいずれかに記載のカロード。
【請求項６】
　連結具を屈折可能に構成した請求項１乃至請求項３のいずれかに記載のカロード。
【請求項７】
　複数の骨壷が載る安置台を底板に対して回転可能に設けた請求項１乃至請求項６のいずれかに記載のカロード。
【考案の詳細な説明】
【技術分野】
【０００１】
　本考案は墓所に設置するカロードに関するものである。
【背景技術】
【０００２】
　図１１は従来のカロードの一例を示すもので、石材の積み重ねにより形成され且つ前端の地表面よりも高い位置に開口を有する横穴形の納骨室１と、開口を水平に出入り可能な棚板２と、該棚板２に一体化されて開口を閉止し得る蓋板３とを備え、納骨室１の上部に墓碑（図示せず）を設置するようにしている（例えば、特許文献１参照）。
【０００３】
　このカロードでは、蓋板３を手前側に引くと、骨壷を載せる棚板２が納骨室１の外部へ引き出され、また、蓋板３を向こう側へ押すと、納骨室１の内部へ棚板２が押し込まれる。
【特許文献１】実願平４−８４７７３号（実開平６−４７５３２号）のマイクロフィルム
【考案の開示】
【考案が解決しようとする課題】
【０００４】
　しかしながら、図１１に示すカロードでは、棚板２の浮き上がりを抑制することが全く考慮されておらず、また、蓋板３側に棚板２の重心が片寄っているため、納骨室１の外部へ引き出した棚板２が前傾し、骨壷が不安定な状態になってしまう。
【０００５】
　本考案は上述した実情に鑑みてなしたもので、骨壷を安定な状態で収納できるカロードを提供することを目的としている。
【課題を解決するための手段】
【０００６】
　上記目的を達成するため、請求項１に記載の考案は、一端に開口を有する横穴形の納骨室と、開口を出入し得る底板と、納骨室の開口を閉止し得る開き戸状の蓋体と、一端部を底板に枢支し且つ他端部を蓋体に枢支した連結具とを備えている。
【０００７】
　請求項２に記載の考案は、一端に開口を有する横穴形の納骨室と、該納骨室の内底面に位置し開口に向けて平行に延びる一対のレールと、該レールのそれぞれに案内される端部支持ローラを枢支した底板と、納骨室の開口端寄り個所に枢支され且つ底板の下面に接する底部支持ローラと、納骨室の開口端寄り個所に枢支され且つ底板の左右側面にそれぞれ接する側部支持ローラと、レールを上方から覆い得るように底板に装着した上板と、納骨室の開口を閉止し得る開き戸状の蓋体と、一端部を底板に枢支し且つ他端部を蓋体に枢支した連結具とを備えている。
【０００８】
　請求項３に記載の考案は、それぞれのレールの側部にその長手方向に延びる溝を形成し、該溝に端部支持ローラを転動可能に嵌め込んでいる。
【０００９】
　請求項４に記載の考案は、連結具の一端部に長孔を穿設し、該長孔に軸を挿通した軸を底板に係止して、連動棒の一端部を底板に枢支している。
【００１０】
　請求項５に記載の考案は、連結具を伸縮可能に構成している。
【００１１】
　請求項６に記載の考案は、連結具を屈折可能に構成している。
【００１２】
　請求項７に記載の考案は、複数の骨壷が載る安置台を底板に対して回転可能に設けている。
【００１３】
　請求項１に記載の考案においては、骨壷が直接、あるいは間接的に載せられる底板に、連結具によって開き戸状の蓋体の変位を伝達し、蓋体開放時の底板の前傾を回避する。
【００１４】
　請求項２に記載の考案においては、骨壷に載せられる上板に、底板及び連結具によって開き戸状の蓋体の変位を伝達し、蓋体開放時の上板の前傾を回避する。
【００１５】
　更に、底部支持ローラにより、底板の引き出しに起因する上板の前傾を抑制し、また、側部支持ローラと端部支持ローラにより、底板の引き出し及び押し込みに伴う上板の蛇行を防止する。
【００１６】
　請求項３に記載の考案においては、レールの側部の溝に嵌まり込んだ端部支持ローラにより、底板の引き出しに起因する上板の前傾を確実に防止する。
【００１７】
　請求項４に記載の考案においては、連結具の長孔に挿通した軸を底板に枢支して、底板枢支点と蓋体枢支点の間隔の拡縮を許容する。
【００１８】
　請求項５に記載の考案においては、伸縮可能とした連結具を用いて、底板枢支点と蓋体枢支点の間隔の拡縮を許容する。
【００１９】
　請求項６に記載の考案においては、屈折可能とした連結具を用いて、底板枢支点と蓋体枢支点の間隔の拡縮を許容する。
【００２０】
　請求項７に記載の考案においては、安置台の回転によって、当該安置台に載せた骨壷を納骨室の奥側へ送り込む。
【考案の効果】
【００２１】
　（１）請求項１に記載の考案では、開き戸状の蓋体の変位を連結具によって底板に伝達するので、蓋体開放時に底板が前傾せず、骨壷の安定性を保つことができる。
【００２２】
　（２）請求項２に記載の考案では、開き戸状の蓋体の変位を連結具と底板によって上板に伝達し、開口側へ引き出される底板の下面を底部支持ローラで支えるので、蓋体開放時に上板が前傾せず、骨壷の安定性を保つことができる。
【００２３】
　（３）また、底板の左右への振れを側部支持ローラと端部支持ローラによって規制するので、底板の引き出し及び押し込みに伴う上板の蛇行を防止することができる。
【００２４】
　（４）請求項３に記載の考案では、底板の反開口端寄り部位に枢支した端部支持ローラがレールの側部の溝に嵌まり込んでいるので、底板の引き出しに伴う上板の前傾を確実に防止することができる。
【００２５】
　（５）請求項４に記載の考案では、連結具に長孔を穿設して底板枢支点と蓋体枢支点の間隔の拡縮を許容するので、開閉に伴う蓋体と底板もしくは上板との干渉を回避しつつ、閉止時の蓋体と底板もしくは上板との間隔を狭めることができ、骨壷を載置可能な範囲が大きくなる。
【００２６】
　（６）請求項５に記載の考案では、伸縮可能な連結具により底板枢支点と蓋体枢支点の間隔の拡縮を許容するので、開閉に伴う蓋体と底板もしくは上板との干渉を回避しつつ、閉止時の蓋体と底板もしくは上板との間隔を狭めることができ、骨壷を載置可能な範囲が大きくなる。
【００２７】
　（７）請求項６に記載の考案では、屈折可能な連結具により底板枢支点と蓋体枢支点の間隔の拡縮を許容するので、開閉に伴う蓋体と底板もしくは上板との干渉を回避しつつ、閉止時の蓋体と底板もしくは上板との間隔を狭めることができ、骨壷を載置可能な範囲が大きくなる。
【００２８】
　（８）請求項７に記載の考案においては、安置台の回動によって、当該安置台に載せた骨壷を納骨室の奥側へ容易に送り込むことができる。
【考案を実施するための最良の形態】
【００２９】
　以下、本考案の実施の形態を図示例とともに説明する。
【００３０】
　図１乃至図７は本考案のカロードの実施の形態の一例を示すもので、このカロードは、前端に開口を有する横穴形の納骨室４と、開口を出入し得る底板５と、納骨室４の開口を閉止し得る開き戸状の蓋体６，７と、一端部を底板５に枢支し且つ他端部を蓋体７に枢支した連結具８とを備えている。
【００３１】
　納骨室４は、地表面に置いた板状の下石９と、該下石９の左右に向き合うように載せた脇石１０と、下石９の奥縁に載って左右の脇石１０の間を塞ぐ後壁１１と、脇石１０及び後壁１１の上縁に載って下石９を覆う天板１２とで構成されている。
【００３２】
　下石９には、側部に長手方向に延びる溝１３を形成した一対のレール１４が、細石１５を介して後壁１１側から開口に向けて平行に敷設され、また、納骨室４の内部で凝結した水滴を外部へ排出するための水抜き孔（図示せず）が穿設されている。
【００３３】
　底板５は左右のレール１４の間に位置し、端部支持ローラ１６、底部支持ローラ１７、及び側部支持ローラ１８によって前後に導かれる。
【００３４】
　端部支持ローラ１６は、底板５の反開口端寄り部位に枢支され、レール１４の溝１３に転動可能に嵌め込まれている。
【００３５】
　底部支持ローラ１７は、底板５の下面に当接し得るように、下石９の開口端寄り部位に枢支されている。
【００３６】
　側部支持ローラ１８は、底板５の左右側面に当接し得るように、前記の細石１５の開口端寄り部位に枢支されている。
【００３７】
　更に、底板５には、左右のレール１４を上方から覆うように上板１９が取り付けられ、当該上板１９には、複数の骨壷が載る安置台２０が回転座２１を介して設けられている。
【００３８】
　蓋体６は、開口のカロードに向かって左側寄り部分を塞ぎ得る観音開き戸の一方となるように、軸２２を介して下石９と脇石１０に枢支され、また、蓋体７は、開口のカロードに向かって右側寄り部分を塞ぎ得る観音開き戸の他方になるように、軸２３を介して下石９と脇石１０に枢支されている。
【００３９】
　蓋体６，７の合せ目は、右側の蓋体７を閉じてから左側の蓋体６を閉じると重なり合うように形成してあり、これらの蓋体６，７には、錠前を掛けるため金具や隠し錠を設けておくことが望ましい。
【００４０】
　連結具８は、一端部が軸２４により底板５に枢支され、他端部が蓋体７に設けた切欠きに差し込まれたうえ、軸２５により当該蓋体７に枢支されている。
【００４１】
　更に、前記の底板５及び上板１９の角部は、蓋体７との干渉を防ぐように削り取られている。
【００４２】
　図１乃至図７に示すカロードでは、向かって左側の蓋体６を開いてから右側の蓋体７を開くと、その変位が連結具８を介して底板５に伝達され、上板１９及び骨壷が載る安置台２０などが納骨室４の外部に引き出される。
【００４３】
　このとき、底板５の下面に当接する底部支持ローラ１７とレール１４の側部の溝１３に嵌まり込んだ端部支持ローラ１６が、底板５の引き出しに起因する上板１９の前傾を抑制し、また、底板５の左右側面に当接する側部支持ローラ１８と前記の端部支持ローラ１６が、底板５の引き出しに伴う上板１９の蛇行を防止する。
【００４４】
　更に、蓋体７が一体化されていないので、底板５の重心が手前側に片寄らず、上板１９の前傾の抑制に寄与する。
【００４５】
　次いで、安置台２０に骨壷を載せ、当該安置台２０を回動させると、骨壷を納骨室４の側へ容易に送り込むことができる。
【００４６】
　この後、向かって右側の蓋体７を閉じると、その変位が連結具８を介して底板５に伝達され、上板１９及び骨壷を載せた安置台２０などが納骨室４の内部へ押し込まれる。
【００４７】
　このとき、前記の側部支持ローラ１８と端部支持ローラ１６が、底板５の押し込み伴う上板１９の蛇行を防止する。
【００４８】
　このように、図１乃至図７に示すカロードにおいては、蓋体６，７の開放時に底板５や上板１９が前傾せず、底板５の引き出し及び押し込みに伴う上板１９の蛇行が発生しないので、骨壷を安定な状態で収納することができる。
【００４９】
　図８は本考案のカロードの第１の変形例を示すものである。
【００５０】
　この実施の形態では、前述した連結具８よりも長尺の連結具２６を用いている。
【００５１】
　連結具２６の一端部には長孔２７が穿されており、該長孔２７に挿通した軸２４を底板５に係止している。
【００５２】
　連結具２６の他端部は、他端部が蓋体７に設けた切欠きに差し込まれたうえ、軸２５により当該蓋体７に枢支されている。
【００５３】
　長孔２７と軸２４の位置関係は、底板５が納骨室４の内部に押し込まれて蓋体７が開口を閉止しているときには、軸２４，２５の間隔が狭まった状態となり、軸２３を蓋体７を中心として開く方向に回動させると、軸２４と長孔２７が相対的に移動して軸２４，２５の間隔が拡がるように設定されている。
【００５４】
　これにより、開閉に伴う蓋体７と底板５（上板）との干渉を回避しつつ、閉止時の蓋体７と底板５（上板）との間隔を狭めることができ、骨壷を載置可能な範囲が大きくなる。
【００５５】
　図９は本考案のカロードの第２の変形例を示すものである。
【００５６】
　この実施の形態では、前述の連結具８に代えて、伸縮可能な連結具２８を用いている。
【００５７】
　連結具２８は、一端部が軸２４により底板５に枢支され且つ他端部に入れ子を形成した棒体２９と、一端部が棒体２９の入れ子に摺動可能に嵌まり込んだ棒体３０とで構成されており、蓋体７に設けた切欠きに棒体３０の他端部を差し込んだうえ、軸２５により当該蓋体７に枢支している。
【００５８】
　これら棒体２９，３０の位置関係は、底板５が納骨室４の内部に押し込まれて蓋体７が開口を閉止しているときには、連結具２８が縮んで軸２４，２５の間隔が狭まった状態となり、軸２３を蓋体７を中心として開く方向に回動させると、連結具２８が伸びて軸２４，２５の間隔が拡がるように設定されている。
【００５９】
　これにより、開閉に伴う蓋体７と底板５（上板）との干渉を回避しつつ、閉止時の蓋体７と底板５（上板）との間隔を狭めることができ、骨壷を載置可能な範囲が大きくなる。
【００６０】
　図１０は本考案のカロードの第３の変形例を示すものである。
【００６１】
　この実施の形態では、前述の連結具８に代えて、屈折可能な連結具３１を用いている。
【００６２】
　連結具３１は、一端部を軸２４により底板５に枢支した棒体３２と、一端部を軸３３により棒体３２の他端部に枢支した棒体３４とで構成されており、蓋体７に設けた切欠きに棒体３４の他端部を差し込んだうえ、軸２５により当該蓋体７に枢支している。
【００６３】
　これら棒体３２，３４の位置関係は、底板５が納骨室４の内部に押し込まれて蓋体７が開口を閉止しているときには、連結具３１が屈折した軸２４，２５の間隔が狭まった状態となり、軸２３を蓋体７を中心として開く方向に回動させると、連結具３１が真っ直ぐに伸びて軸２４，２５の間隔が拡がるように設定されている。
【００６４】
　これにより、開閉に伴う蓋体７と底板５（上板）との干渉を回避しつつ、閉止時の蓋体７と底板５（上板）との間隔を狭めることができ、骨壷を載置可能な範囲が大きくなる。
【００６５】
　なお、本考案のカロードは上述した実施の形態のみに限定されるものではなく、本考案の要旨を逸脱しない範囲内において変更を加え得ることは勿論である。
【産業上の利用可能性】
【００６６】
　本考案のカロードは、様々な宗旨の墓標に適用することができる。
【図面の簡単な説明】
【００６７】
【図１】本考案のカロードの実施の形態の一例を示す平面図である。
【図２】図１のＩＩ−ＩＩ矢視図である。
【図３】図１のＩＩＩ−ＩＩＩ矢視図である。
【図４】図１のＩＶ−ＩＶ矢視図である。
【図５】図４のＶ−Ｖ矢視図である。
【図６】図４のＶＩ−ＶＩ矢視図である。
【図７】図１に関連する蓋体と底板の移動を示す平面図である。
【図８】連結具の第１の変形例を示す概念図である。
【図９】連結具の第２の変形例を示す概念図である。
【図１０】連結具の第３の変形例を示す概念図である。
【図１１】従来のカロードの一例を示す概念図である。
【符号の説明】
【００６８】
　４　　納骨室
　５　　底板
　６　　蓋体
　７　　蓋体
　８　　連結具
　１３　溝
　１４　レール
　１６　端部ローラ
　１７　底部ローラ
　１８　側部ローラ
　１９　上板
　２０　安置台
　２６　連結具
　２７　長孔
　２８　連結具
　３１　連結具
【図１】
0003100553.tif 000003
【図２】
0003100553.tif 000004
【図３】
0003100553.tif 000005
【図４】
0003100553.tif 000006
【図５】
0003100553.tif 000007
【図６】
0003100553.tif 000008
【図７】
0003100553.tif 000009
【図８】
0003100553.tif 000010
【図９】
0003100553.tif 000011
【図１０】
0003100553.tif 000012
【図１１】
0003100553.tif 000013